(57)【特許請求の範囲】
【請求項１】
外面に雌ねじとこの雌ねじを中心とした第１の仮想円周上に複数の凹部が形成された電子機器を被固定部に固定する電子機器の固定装置において、前記外面に接する部分にねじ貫通孔が設けられた固定部材と、前記ねじ貫通孔を介して前記雌ねじにねじ込まれる雄ねじとを具備しており、前記固定部材は、ねじ貫通孔の周囲に前記凹部に嵌まり込む凸部が形成されたカンチレバー型の固定用舌片が形成されており、前記凸部はねじ貫通孔を中心とした第２の仮想円周上に位置しており、前記第１の仮想円周と第２の仮想円周とは同一半径であり、前記固定用舌片は外方向に屈曲されており、前記ねじ貫通孔を貫通した雄ねじが雌ねじに対して一定量以上ねじ込まれると、固定用舌片は雄ねじに押圧されて電子機器の外面側に向かって変位し、前記凸部が凹部に嵌まり込むことを特徴とする電子機器の固定装置。
【請求項２】
前記固定部材は、略凹字形状に形成されており、前記電子機器の外面に接する対向した一対の立上片にねじ貫通孔が設けられており、前記電子機器は対向した一対の外面に雌ねじが形成されていることを特徴とする請求項１記載の電子機器の固定装置。
【請求項３】
前記固定用舌片は、ねじ貫通孔の周囲に複数形成されていることを特徴とする請求項１又は２記載の電子機器の固定装置。
【請求項４】
電子機器を被固定部に固定する固定部材と、前記電子機器の外面に形成された雌ねじと、この雌ねじに対応する雄ねじとを具備しており、前記電子機器の外面には雌ねじを中心とした第１の仮想円周上に複数の凹部が形成されており、前記固定部材には前記外面に接する部分に雄ねじが貫通するねじ貫通孔が設けられているとともに、前記凹部に嵌まり込む凸部が形成されたカンチレバー型の固定用舌片が形成されており、前記凸部はねじ貫通孔を中心とした第２の仮想円周上に位置し、前記第１の仮想円周と第２の仮想円周とは同一半径であり、前記固定用舌片は外方向に屈曲されており、前記ねじ貫通孔を貫通した雄ねじが雌ねじに対して一定量以上ねじ込まれると、固定用舌片は雄ねじに押圧されて電子機器の外面側に向かって変位し、前記凸部が凹部に嵌まり込むことを特徴とする電子機器の固定構造。
【発明の詳細な説明】
【技術分野】
【０００１】
本発明は、電子機器の固定装置、特には電子機器の傾き具合を調整することができる電子機器の固定装置及び固定構造に関する。
【背景技術】
【０００２】
無線機等の電子機器を自動車のダッシュボードの上などに固定する構造として、略凹字形状の固定部材を使用するものがある。この固定構造は、固定部材の対向する一対の立上片にねじ貫通孔を設け、無線機の側面に雌ねじを設け、前記ねじ貫通孔を介して雌ねじに雄ねじをねじ込んで無線機を固定するようになっている。なお、固定部材は、ダッシュボード上に固定される。
【０００３】
この固定構造で、無線機を上下方向の傾き具合を調整するには、立上片に１つのねじ貫通孔と、このねじ貫通孔を中心とした円周上に円弧状のスリットを設ける構成がある。ねじ貫通孔を中心と傾動させ、スリットの部分を介して固定用のねじを無線機にねじ込むのである。
しかしながら、かかる構成では、無線機の傾き具合を調整する際に左右の立上片の合計４個のねじを緩めて、再び締めるという作業が必要になるので、かなりの手間がかかっていた。また、スリットの部分のねじは強固に締めていたとしても、振動によって緩んでしまい、傾き具合が変動するおそれがある。かかるおそれを低減させるために、無線機と立上片との間に滑り止めのためのシートを貼り付けている。
【０００４】
この傾き具合を調整する際の手間、滑り止めのためのシートのコストを省くため、特開２００４−３２７６６１号記載の構造も創案された。
この構造は、『電子機器を挟むコ字形の固定金具に設けられた第１のねじ挿通穴を挿通するねじを電子機器の側面に設けられたねじ穴にねじ込んで電子機器を前記固定金具に締着する電子機器の取付構造において、前記固定金具の電子機器側面に対向する面と反対側の面に凹部を設け、前記凹部と対応する外周を有し前記凹部にはめ込まれる位置決め部材に前記ねじを挿通させる第２のねじ挿通穴とそれから等間隔に配置される少なくとも１つの突起を設け、前記突起を前記固定金具に設けられた穴を挿通させ前記電子機器のねじ穴の周囲に等間隔ピッチに設けられた凹みと選択的に嵌合させることを特徴とする電子機器の取付構造。』となっている。
【０００５】
【特許文献１】特開２００４−３２７６６１号公報
【発明の開示】
【発明が解決しようとする課題】
【０００６】
しかしながら、この電子機器の取付構造でも、固定金具とは別体の『凹部にはめ込まれる位置決め部材』が必要となったため、傾き具合を調整する際にこの位置決め部材を紛失するおそれがあり、しかも凹部に嵌め込まれていた位置決め部材の取り外しに手間がかかるいいう問題点がある。
また、滑り止めのためのシートのコストは省けても、新たな位置決め部材という別体の部品が必要になるので、コスト低減という観点からは望ましくないものとなっていた。
【０００７】
本発明は、上記事情に鑑みて創案されたもので、電子機器をそれほどの手間なしに傾き具合を調整することができ、しかも振動等で緩まず、コストアップもにつながらない電子機器の固定装置及び固定構造を提供することを目的としている。
【課題を解決するための手段】
【０００８】
本発明に係る電子機器の固定装置は、外面に雌ねじとこの雌ねじを中心とした第１の仮想円周上に複数の凹部が形成された電子機器を被固定部に固定する電子機器の固定装置において、前記外面に接する部分にねじ貫通孔が設けられた固定部材と、前記ねじ貫通孔を介して前記雌ねじにねじ込まれる雄ねじとを具備しており、前記固定部材は、ねじ貫通孔の周囲に前記凹部に嵌まり込む凸部が形成されたカンチレバー型の固定用舌片が形成されており、前記凸部はねじ貫通孔を中心とした第２の仮想円周上に位置しており、前記第１の仮想円周と第２の仮想円周とは同一半径であり、前記固定用舌片は外方向に屈曲されており、前記ねじ貫通孔を貫通した雄ねじが雌ねじに対して一定量以上ねじ込まれると、固定用舌片は雄ねじに押圧されて電子機器の外面側に向かって変位し、前記凸部が凹部に嵌まり込むように構成されている。
【０００９】
また、前記固定部材は、略凹字形状に形成されており、前記電子機器の外面に接する対向した一対の立上片にねじ貫通孔が設けられており、前記電子機器は対向した一対の外面に雌ねじが形成されている。
さらに、前記固定用舌片は、ねじ貫通孔の周囲に複数形成されているとよい。
【発明の効果】
【００１０】
本発明に係る電子機器の固定装置は、固定部材に形成された固定用舌片の凸部が、電子機器の外面に形成された凹部に嵌まり込むように構成されており、しかも前記凸部と凹部とが電子機器の外面に設けられた雌ねじを中心とした同一半径の仮想円周上に設けられているために、雄ねじをねじ込むことで確実に凸部が凹部に嵌まり込むので、それほどの手間なしに電子機器の傾き具合を調整することができ、しかも振動等で緩まず、コストアップもにつながらない構成となっている。
【図面の簡単な説明】
【００１１】
【図１】本発明の実施の形態に係る電子機器の固定装置の概略的斜視図である。
【図２】本発明の実施の形態に係る電子機器の固定装置を構成する固定部材の概略的斜視図である。
【図３】本発明の実施の形態に係る電子機器の固定装置を構成する固定部材の概略的側面図である。
【図４】本発明の実施の形態に係る電子機器の固定装置を構成する固定部材の概略平面図である。
【図５】本発明の実施の形態に係る電子機器の固定装置で固定される電子機器としての無線機の概略的斜視図である。
【図６】本発明の実施の形態に係る電子機器の固定装置で固定される電子機器としての無線機の概略的側面図である。
【図７】本発明の実施の形態に係る電子機器の固定装置で固定される電子機器としての無線機の概略的断面図である。
【図８】本発明の実施の形態に係る電子機器の固定装置の概略的断面図である。
【図９】本発明の実施の形態に係る電子機器の固定装置が電子機器としての無線機を固定した状態を示す概略的拡大断面図である。
【図１０】本発明の実施の形態に係る電子機器の固定装置が電子機器としての無線機の傾き具合を調整する状態を示す概略的拡大断面図である。
【発明を実施するための形態】
【００１２】
本発明の実施の形態に係る電子機器の固定装置は、外面である側面２１０に雌ねじ２１１とこの雌ねじ２１１を中心とした第１の仮想円周２１２上に複数の凹部２１３が形成された電子機器である無線機２００を被固定部（図示省略）に固定する電子機器の固定装置であって、前記側面２１０に接する部分にねじ貫通孔１１１が設けられた固定部材１００と、前記ねじ貫通孔１１１を介して前記雌ねじ２１１にねじ込まれる雄ねじ３００とを備えており、前記固定部材１００は、ねじ貫通孔１１１の周囲に前記凹部２１３に嵌まり込む凸部１１３が形成されたカンチレバー型の固定用舌片１１２が形成されており、前記凸部１１３はねじ貫通孔１１１を中心とした第２の仮想円周１１４上に位置しており、前記第１の仮想円周２１２と第２の仮想円周１１４とは同一半径であり、前記固定用舌片１１２は外方向に屈曲されており、前記ねじ貫通孔１１１を貫通した雄ねじ３００が雌ねじ２１１に対して一定量以上ねじ込まれると、固定用舌片１１２は雄ねじ３００に押圧されて無線機２００の側面２１０側に向かって変位し、前記凸部１１３が凹部２１３に嵌まり込むように構成されている。
【００１３】
この電子機器の固定装置によって固定される電子機器である無線機２００は、図５に示すように、平べったい直方体状に形成されており、正面には液晶パネルからなる液晶ディスプレイ２４１やスピーカー、左右キー、上下／チャンネル選択キー、エンターキー、クリアキー、メニューキー及びダイヤル／電源キー、ソフトキー、スケルチツマミ、ボリュームツマミ、チャンネル１６／コールチャンネルキー等の各種キー、スイッチが配置されている。なお、作図の都合上、スピーカーや各種キー、スイッチは省略している。
【００１４】
また、前記液晶ディスプレイ２４１には、送受信表示アイコン、送信出力表示、ＲＸヘイラーアイコン、チャンネルグループ表示アイコン、コールチャンネル表示アイコン、デュプレックス表示アイコン、スキャン対象チャンネル表示アイコン、呼出表示アイコン、ＧＰＳ情報表示アイコン、チャンネル１６スイッチ表示アイコン、バッテリー電圧低下表示アイコン、チャンネル番号表示アイコン、チャンネル名称表示アイコン、ソフトキー機能表示アイコン、タイムゾーン表示アイコン、位置情報表示アイコン、進行方向／速度表示アイコン、スキャン表示アイコン、ＬＯＣＡＬ表示アイコン等の各種アイコンが必要に応じて表示されるようになっている。
なお、上述した液晶ディスプレイ２４１、スピーカー、各種キー、スイッチ、各種アイコンは例示であって、本願発明である電子機器の固定装置によって固定される無線機２００を特徴づけるものでないことはいうまでもない。
【００１５】
かかる無線機２００は、内部のダイキャスト製のフレーム２３０と、このフレーム２３０の上面及び一対の側面２３１を覆う合成樹脂製の略凹字形状のメインカバー２２０と、正面を覆い、前記液晶ディスプレイ２４１や各種キー、スイッチ等が配置される合成樹脂製の前面カバー２４０を有している。
【００１６】
前記フレーム２３０の一対の側面２３１の略中央部には、図５〜図７に示すように、略小判状の盛上部２３２が形成されている。さらに、この盛上部２３２の中心には、前記雌ねじ２１１が形成されている。
なお、フレーム２３０の底面及び背面には、放熱フィン２３４が形成されている。また、フレーム２３０の背面には、アンテナ用のコネクタ等（図示省略）が設けられている。
【００１７】
また、前記メインカバー２２０の側面は、無線機２００の側面２１０となる。このメインカバー２２０の側面、すなわちフレーム２３０の一対の側面２３１を覆う部分には、前記盛上部２３２に対応した略小判状の開口２１５が開設されている。フレーム２３０をメインカバー２２０で覆う際、前記開口２１５に盛上部２３２を嵌め込むと、メインカバー２２０がフレーム２３０を正確に覆うようになっている。
なお、前記盛上部２３２は、開口２１５に嵌まり込むと、前記側面２１０と面一になるように設定されている。これは、無線機２００の傾き具合の調整をスムーズに行うことができるようにするためである。
【００１８】
さらに、メインカバー２２０の側面には、図５、図６に示すように、開口２１５を取り囲んで複数の凹部２１３が一定間隔で形成されている。この凹部２１３は、メインカバー２２０でフレーム２３０を覆った際、フレーム２３０の盛上部２３２の雌ねじ２１１を中心とした第１の仮想円周２１２上（図６に破線で示している）に複数形成されている。
なお、この凹部２１３は、図面では第１の仮想円周２１２上に等間隔で全周にわたって設けられているが、第１の仮想円周２１２の一部にのみ設けるようにすることも可能である。この場合、無線機２００の形状、サイズ等から傾けることができる範囲に応じて凹部２１３を設けるようにすればよい。
また、この複数の凹部２１３の間には第１の仮想円周２１２に沿って浅溝２１６が形成されている。この浅溝２１６は、無線機２００の傾き具合を調整する際に、雄ねじ３００をそれほど大幅に緩めなくてもすむようにするためのものである。また、雄ねじ３００の緩め具合が不十分であっても、側面２１０を削らないようにするためのものでもある。
【００１９】
一方、前記固定部材１００は、図２に示すように、一枚の長方形状の金属板を略凹字形状に折曲形成したものであり、取付片１２０と、この取付片１２０の両端から略直交方向に折曲された一対の立上片１１０とが一体に形成されている。
【００２０】
前記取付片１２０には、中央部に丸孔１２１が、この丸孔１２１の両側に合計４個の長孔１２２が形成されている。これらの丸孔１２１や長孔１２２は、自動車のダッシュボード等の被固定部に固定する際に利用されるものである。
なお、この取付片１２０の長さ寸法、すなわち立上片１１０の間の寸法は、無線機２００の幅寸法に対応している。
【００２１】
また、前記立上片１１０は、先端が半円状に形成されている。また、この立上片１１０の高さ寸法は、固定部材１００に取り付けられた無線機２００の傾き具合を調整することができるように、無線機２００の厚さ寸法より大きく設定されている。
かかる立上片１１０には、ねじ貫通孔１１１が設けられている。このねじ貫通孔１１１は、後述する雄ねじ３００の軸部３２０は貫通できるが、がたつくことがない程度の大きさに設定されている。
【００２２】
さらに、前記立上片１１０には、ねじ貫通孔１１１を取り囲み、ねじ貫通孔１１１を中心とした点対称位置に２個のカンチレバー型の固定用舌片１１２が形成されている。
この固定用舌片１１２は、立上片１１０に切込み１１５を形成することで円弧状に形成されている。また、この固定用舌片１１２は、図４に示すように、立上片１１０の表面側である外方向、すなわち無線機２００の側面２１０の反対方向に向かって基端部から屈曲されている。従って、固定用舌片１１２の先端に設けられた凸部１１３は、固定用舌片１１２に対してなんらの外力も加えられていない自然状態では、立上片１１０の裏面より表面側に位置していることになる。
【００２３】
かかる固定用舌片１１２の先端側、すなわち立上片１１０と連なった基端部とは反対側には凸部１１３がプレス成形等によって形成されている。
この凸部１１３は、ねじ貫通孔１１１を中心とした第２の仮想円周１１４上（図３に破線で示している）に位置している。なお、前記第１の仮想円周２１２と第２の仮想円周１１４の半径は、同一に設定されている。
従って、ねじ貫通孔１１１を介して雌ねじ２１１に雄ねじ３００がねじ込まれた場合、固定用舌片１１２の凸部１１３は確実に凹部２１３に嵌まり込むようになっている。
なお、固定用舌片１１２は円弧状ではあるが、前記第２の仮想円周１１４と一致はしていない。これは、固定用舌片１１２にある程度の長さ寸法を確保することで、凸部１１３が凹部２１３に嵌まり込む際の固定用舌片１１２の変位に余裕をもたせるためである。
【００２４】
前記雄ねじ３００は、図９〜図１０に示すように、樹脂製の頭部３１０と、この頭部３１０の裏面の中心から突出した金属製の軸部３２０とを有している。この雄ねじ３００は、ねじ貫通孔１１１を介して雌ねじ２１１に一定量以上ねじ込まれると、頭部３１０の裏面側（軸部３２０側）が固定用舌片１１２を押圧して無線機２００の側面２１０側に向かって変位し、凸部１１３が凹部２１３に嵌まり込むようになっている。
すなわち、雄ねじ３００の雌ねじ２１１に対するねじ込み量が一定量未満であると、固定用舌片１１２の凸部１１３は無線機２００の側面２１０の凹部２１３には嵌まり込まないことになる。
【００２５】
上述したような電子機器の固定装置による無線機２００の傾き具合の調整は以下のようにして行われる。
固定部材１００の一対の立上片１１０のねじ貫通孔１１１を介して無線機２００の雌ねじ２１１にねじ込まれている一対の雄ねじ３００をそれぞれ緩め、雄ねじ３００の雌ねじ２１１に対するねじ込み量を一定量未満とする。すなわち、図１０に示す状態とする。
これにより、固定用舌片１１２の無線機２００の側面２１０側への押圧がなくなり、固定用舌片１１２の凸部１１３は、無線機２００の側面２１０の凹部２１３から外れる。
この状態で、雄ねじ３００を中心軸として、無線機２００の傾き具合の調整を行う。この際、固定用舌片１１２の凸部１１３は、無線機２００の側面２１０の凹部２１３から外れているため、無線機２００を傾けても凸部１１３は凹部２１３が形成されているメインカバー２２０の側面である無線機２００の側面２１０を磨耗させるおそれはない。
【００２６】
無線機２００の傾き具合の調整が完了したならば、一対の雄ねじ３００を雌ねじ２１１に対してねじ込み。図９に示すように、ねじ込み量が一定量以上になると、固定用舌片１１２が無線機２００の側面２１０側へと押圧され、固定用舌片１１２の凸部１１３が無線機２００の側面２１０の凹部２１３へと嵌まり込む。これで、無線機２００は調整した傾き具合で固定されることになる。
【００２７】
なお、上述した実施の形態では、一対の立上片１１０の両方に固定用舌片１１２を設け、無線機２００の両方の側面２１０に凹部２１３を設けたが、立上片１１０の一方のみに固定用舌片１１２を設け、これに対応して無線機２００の一方の側面２１０にのみ凹部２１３を設けるようにすることも可能である。
【００２８】
さらに、固定用舌片１１２は、ねじ貫通孔１１１を取り囲んで２個設けたが、１個であっも、さらには３個以上であってもかまわない。なお、３個以上の固定用舌片１１２を設ける場合には、各固定用舌片１１２は等間隔、すなわち３個であれば１２０°、４個であれば９０°間隔で設けることが望ましい。
なお、固定用舌片１１２は、固定をより確実にするという観点からは、複数設ける方が望ましい。
【００２９】
またさらに、固定用舌片１１２は円弧状であるとしたが、カンチレバー型であり、かつ先端に設けられる凸部１１３が第２の仮想円周１１４上に位置するものであれば、どのような形態のものであってもよい。例えば、ねじ貫通孔１１１に対して放射状に形成された固定用舌片１１２であってもよい。
【００３０】
また、固定部材１００は、上向き状態でダッシュボード等の被固定部に固定するとしたが、天井面を被固定部として吊り下げた状態で取り付ける場合には、下向き状態で固定することも可能である。
【００３１】
なお、上述した実施の形態では、電子機器として平べったい直方体状の無線機２００としたが、本発明がこれに限定されるものではなく、他の形状の無線機や、ナビゲーションシステム、オーディオビジュアルシステム等の他の電子機器に適用可能である。なお、固定部材１００は、固定すべき電子機器の形状、サイズに合致したものとすることはいうまでもない。
【符号の説明】
【００３２】
１００    固定部材
１１０    立上片
１１１    ねじ貫通孔
１１２    固定用舌片
１１３    凸部
１１４    第２の仮想円周
２００    無線機（電子機器）
２１０    側面（外面）
２１１    雌ねじ
２１２    第１の仮想円周
２１３    凹部
３００    雄ねじ
【図１】
0006451504.tif 000002
【図２】
0006451504.tif 000003
【図３】
0006451504.tif 000004
【図４】
0006451504.tif 000005
【図５】
0006451504.tif 000006
【図６】
0006451504.tif 000007
【図７】
0006451504.tif 000008
【図８】
0006451504.tif 000009
【図９】
0006451504.tif 000010
【図１０】
0006451504.tif 000011